(57)【特許請求の範囲】
【請求項１】
複数本の糸を、一定の供給長で繊維機械（５）に供給する方法であって、各糸（２）は、スプール（１）から繰り出て、繊維機械（５）に導かれる前に、糸（２）の張力を所定値に維持するために設けられる供給装置（４）と協働し、繊維機械（５）への供給を制御する少なくとも１個の制御手段（６）を備える方法において、繊維機械（５）へ供給される糸（２）毎に維持すべき取り込み糸長値を所定値として設定し、繊維機械（５）により有効に取り込まれる糸長の実測値を測定し、前記設定した糸長値と前記測定した実測値とを比較し、比較の結果が、前記所定値と前記実測値との差を示すたびに、供給装置（４）の少なくとも１個に作用することにより、対応する糸（２）の張力値を修正し、この張力修正により、取り込み糸長値が所定値に等しくなるようにし、
前記少なくとも１個の制御手段（６）は、前記繊維機械（５）の一の製品の製造段階を指す製造サイクルと、前記繊維機械（５）のある製造サイクルから次の製造サイクルへの移行段階を指すゼロサイクルのいずれが発生しているかを検出することによって前記制御手段（６）が前記繊維機械（５）が製造段階にあるか否かを特定し、前記製造サイクルにある間には如何なる制御も行わずに前記繊維機械（５）の製造状態を監視し、前記制御手段（６）が前記ゼロサイクルへの移行の検出あるいは前記繊維機械（５）が製造段階にないことを示す同期信号に応じて前記供給装置（４）から前記実測値を取得し、前記取得した実測値を使用して前記張力値の修正を実行することを特徴とする方法。
【請求項２】
前記所定値は、前記供給装置（４）の各々が、前記繊維機械に供給される対応する糸の量を測定した期間中にサンプル製品を製造した後に決定される設定値であり、当該設定値は、当該サンプル製品を分析して欠陥がないことを確認した後に、決定され、当該設定値は、記憶されて、前記供給装置の各々により測定される対応する実測値と以後において比較するための設定取り込み糸長基準値として使用する請求項１に記載の方法。
【請求項３】
前記所定値は、欠陥のないサンプル製品の製造中に、前記繊維機械へ糸を供給する複数個の供給装置により供給される糸長の測定値の平均として得ることを特徴とする請求項１に記載の方法。
【請求項４】
前記所定値は、前記糸（４）用の供給装置（４）の外部にある制御手段（６）に記憶され、当該制御手段（６）は、前記方法の実施を制御することを特徴とする請求項１に記載の方法。
【請求項５】
前記所定値は、前記繊維機械（５）へ糸を供給する供給装置（４）の各々の制御手段に記憶され、前記供給装置の各々は、前記繊維機械（５）にインターフェースを介して直接接続されることを特徴とする請求項１に記載の方法。
【請求項６】
前記所定値は、前記繊維機械（５）へ糸を供給する供給装置（４）の一つの制御手段に記憶され、当該一つの供給装置では、前記所定値が、前記供給装置の残りの全てに対して糸の張力の制御及び調整を司ることを特徴とする請求項１に記載の方法。
【請求項７】
前記取り込まれる糸長に対する実測値の測定は、所定の時間内に行われることを特徴とする請求項１に記載の方法。
【請求項８】
前記所定の時間は、１個の製品の製造開始から製造終了までの時間であることを特徴とする請求項７に記載の方法。
【請求項９】
前記所定の時間は、前記繊維機械の製造段階に関連する２個の同期信号間の時間であることを特徴とする請求項７に記載の方法。
【請求項１０】
前記所定値と前記実測値との間の比較は、単体製品を製造する繊維機械で製造される単体製品毎に製造サイクルの開始前に行われることを特徴とする請求項１に記載の方法。
【請求項１１】
前記所定値と前記実測値との間の比較は、連続製品を製造するために設けられる繊維機械の製造段階における所定の瞬間に対応する基準信号の発生後に行われることを特徴とする請求項１に記載の方法。
【請求項１２】
前記供給される糸長を一定に維持するために必要な張力修正が、所定値を超える場合には、警告信号を発することを特徴とする請求項１に記載の方法。
【請求項１３】
前記供給される糸長を一定に維持するために必要な張力修正が、所定値を超える場合には、前記繊維機械（５）を停止することを特徴とする請求項１に記載の方法。
【請求項１４】
複数本の糸を、一定の供給長で繊維機械（５）に供給する装置であって、各糸（２）は、スプール（１）から繰り出て、繊維機械（５）に供給する装置（４）と協働し、供給装置（４）は、糸（２）の張力を制御調整して張力を所定値に等しくするために設けられるタイプのものであり、繊維機械（５）への全ての糸の供給を制御する制御手段（６）を備える装置において、前記制御手段（６）は、前記制御手段が、少なくとも１個の前記供給装置（４）により供給される実際の糸長に関する実測値としてのデータと前記制御手段に記憶した所定の供給糸長値とを比較する特定時点を定める同期手段に接続され、前記比較によって、前記制御手段（６）は、前記所定の供給糸長値と前記実測値との差を判定して、少なくとも１個の供給する装置（４）を操作することにより、前記糸（２）の全てが、同じ長さ又は同じ量で、前記繊維機械（５）に供給されるように、対応する糸の張力を修正し、
前記少なくとも１個の制御手段（６）は、前記繊維機械（５）の一の製品の製造段階を指す製造サイクルと、前記繊維機械（５）のある製造サイクルから次の製造サイクルへの移行段階を指すゼロサイクルのいずれが発生しているかを検出することによって前記制御手段（６）が前記繊維機械（５）が製造段階にあるか否かを特定し、前記製造サイクルにある間には如何なる制御も行わずに前記繊維機械（５）の製造状態を監視し、前記制御手段（６）が前記ゼロサイクルへの移行の検出あるいは前記繊維機械（５）が製造段階にないことを示す同期信号に応じて前記供給装置（４）から前記実測値を取得し、前記取得した実測値を使用して前記張力の修正を実行することを特徴とする装置。
【請求項１５】
前記制御手段（６）は、前記供給装置（４）の全ての外部に設けられ、前記制御手段は、前記供給装置に接続されて、前記供給装置により供給される糸長に関して前記供給装置からデータの出力を受け、前記糸への張力調整を制御することを特徴とする、請求項１４に記載の装置。
【請求項１６】
前記外部に設けられた制御手段（６）は、シリアル回線により前記供給装置に接続されることを特徴とする、請求項１５に記載の装置。
【請求項１７】
前記供給装置（４）の中の１個の一部に、前記制御手段（６）が設けられて、前記供給装置（４）の全ての動作を制御することを特徴とする、請求項１４に記載の装置。
【請求項１８】
前記供給装置（４）の各々の一部に、前記制御手段（６）が設けられることを特徴とする、請求項１４に記載の装置。
【請求項１９】
前記同期手段は、前記繊維機械（５）に機能的に接続されることを特徴とする、請求項１４に記載の装置。
【請求項２０】
前記繊維機械（５）の一部に、前記同期手段が設けられることを特徴とする、請求項１４に記載の装置。
【請求項２１】
前記同期手段は、前記繊維機械（５）の回転部材の位置を検出する手段であることを特徴とする、請求項２０に記載の装置。
【発明の詳細な説明】
【技術分野】
【０００１】
本発明は、メインクレームの導入部に記載した、繊維機械に複数本の糸を一定長で供給する方法に関する。本発明は、また、こうした方法を実施する装置に関する。
【背景技術】
【０００２】
公知のように、繊維機械に糸を一定量で供給できる装置は、相当の期間市販されている。例えば、丸編機に使用する、こうした装置は、複数個の車輪状部材を備え、複数本の糸が、それぞれ車輪状部材に巻かれている。車輪状部材は、半径が可変なプーリに接続され、丸編機の駆動シャフトに固定された伝動部材（ベルト）により回転される。駆動シャフトは、製品（例えば、編み織物）を製造する通常の丸編機のシリンダを回転する。
【０００３】
駆動シャフトと直接的に接続するため、駆動シャフトにキー結合されたプーリの半径を拡大し易くすることにより、糸量を調整可能な状態で、車輪状部材は、丸編機に一定の糸量を供給する。
【０００４】
上述した公知の装置は、一定の所定糸量を、繊維機械に確実に供給できるが、幾つかの問題点がある。例えば、供給ユニットが異なる毎に、異なる糸量を供給する必要がある場合、一定の糸供給を確保するようにプーリの半径を対応して調節するとともに、プーリ群が異なる毎に糸量を異ならせた状態で、異なる伝動ベルトを使用する必要がある。このため、この公知の装置は、多数のプーリを必要とするが、プーリの数には、嵩張ること、及び繊維機械の周囲では空きスペースが限られている理由から限界がある。
【０００５】
公知の装置は、また、繊維機械により取り込まれる糸量が、糸を引き出し糸を使用する繊維機械の部材の状態に応じて絶えず変動することから生ずる問題点も持っている。例えば、編機では、こうした部材は、生地又は網み目を形成する通常の針のストロークを決定する、編み目用カムである。
【０００６】
上述した公知の装置の問題点は、編み目を正しく形成するには、カムにより定まる針のストロークを時間が経過しても一定にする必要があることに由来する。しかしながら、実際問題として、機械摩耗及び温度変化により一定性が保てない。例えば、温度が低い機械から温度が高い機械へ移動中に、種々の機械部品を構成する材料により生ずる膨張によって、針のストロークが変化し、供給される糸の量が絶えず変動する。供給される糸に対する取り込まれる糸の割合により、糸の張力が定まるので、糸に作用する針のストロークが変動すると、糸の張力が変動することになるので、最終製品にストリークが生ずる。
【０００７】
結局、一定量の糸を供給する装置が、たとえ正しく作動しても、編み目を形成する機械部品（針、シンカー及びカム）の摩耗、及び通常の機械運転中に生ずる、こうした機械部品の寸法変動（熱膨張）により、一定量の糸供給ができなくなり、欠陥のある、又は品質が低下した製品が製造されることになる。
【０００８】
さらに、繊維機械の駆動シャフトに接続される車輪状部材により、繊維機械に一定の糸量が供給されるようにするには、糸が弾性を有しないことが指摘される。実際には、このことは無理である。全ての糸は、固有の弾性を持ち、糸に加わる張力に応じて糸が伸びる。この張力も、糸が繰り出されるスプールでは糸量が変化する（スプールに糸が満杯である場合と空である場合）ので変化する。糸の供給用車輪状部材への入口での、張力の変動は、繊維機械の編み目形成部材への入口での糸量、ひいては、製品製造の変動をもたらす。
【０００９】
このことは、編機の精度（１インチ当たりの針の数）が増せば増すほど顕著になる。近年の編機は、１インチ当り４４本以上の針を備えており、編み目のループが小さくなるにつれて、たとえ、供給中の糸の１本にでも、取り込み糸長（ＬＦＡ）に変動が生ずれば、編み目を形成する針のストロークにおける小さな変動が、欠陥製品を製造する可能性を高くする。
【００１０】
繊維機械に複数本の糸を一定張力で供給する装置も幾つか公知である。これらの公知の装置は、閉ループ調整の連続制御（測定／調整）で供給糸張力が、設定値で一定に維持されるように作動する。しかしながら、こうした装置を使用しても、一定の糸量が、絶えず繊維機械に供給されることを確実化できない。
【００１１】
確かに、これらの供給装置では、装置を出る糸は、確実に一定張力を持つ。しかしながら、この張力は、繊維機械、例えば編機の近傍では、変化することがある。これは、糸が、編み目形成シリンダ内で糸を引き取り糸を使用する機械部品（編機の場合では針）と供給装置との間の経路に沿って設けられる複数個の糸ガイドを通過するためである。これらの糸ガイドは、移動する糸に摩擦を加え、糸の張力を変更するため、繊維機械に取り込まれる糸の長さ又は量に変動が生ずる。こうしたことは、基準張力の誤認識（又は、測定部材又はロードセルで負荷がないと、装置は、測定張力をゼロと判断する）によっても生ずる。このため、欠陥製品が製造される虞が現実にある。こうした虞は、編み目を形成する機械部品に特定の（かつ連続した）調整を加えることによって回避することはできる。しかしながら、機械部品は、上述した磨耗及び寸法変化を受けるので、機械部品についても、上述した問題、すなわち、繊維機械に取り込まれる糸長を時間が経過しても一定に維持する問題（したがって製造上の問題）がある。欧州特許第０５０７４２号明細書には、供給糸量又は糸長（ＬＦＡ）を精度よく測定するとともに、編み目を形成する機械部品を測定値に基づいてフィードバックにより制御する、一定張力での糸供給装置を使用することが記載されている。この公知の解決手段は、効果的であるが、繊維機械に、機械部品用に、アクチュエータ（例えば、ステッピング電動機）、又は調整装置を設けて、所望のＬＦＡ値を精確に制御して維持する必要がある。
【００１２】
最近の製造装置では、こうしたアクチュエータが設けられているけれども、数年前に製造された繊維機械には、アクチュエータは設けられておらず、複雑化のため、アクチュエータを組み込むこともできない。
【００１３】
最近は、編み目形成部材を制御するアクチュエータは、ストッキング製造機、パンティーストッキング製造機、シームレス製品製造機等、供給装置の数が少ない新型繊維機械には全て取り付けられているが、多数（８４個、９６個等）の供給装置を必要とする、大型の編機には設けられていない。
【００１４】
織機用の糸供給装置も、公知であり、蓄積型供給装置として知られ、スプールから糸を引き出して、回転する部材に載せて、そこから、繊維機械により引き出されることができるようにしてある。この回転する部材は、糸が引き出される最終張力を規制できる張力部材と組み合わさる。
【００１５】
制御した張力（張力部材により制御される）で糸を引き出すことができるが、上記の解決手段では、通常プラスチック製のリング又は環状ブラシから構成される張力部材には、必然的に摩耗が生ずるため、時間の経過とともに張力を維持し難くなる。つまり、張力部材を適宜交換又は調整して、不良品の製造を避ける必要がある。
【００１６】
したがって、以上のことから、現在市販されている装置は、役立つものではあるが、主として機械部品の限界と問題（装置自体の部品、又は装置と協働する繊維機械の機械部品の摩耗に関連する）とがあり、製造される製品毎に時間が経過しても一定となるように、又は繊維機械に供給される全ての糸において等しくなるように、ＬＦＡを維持することは最終的にはできないことは明らかである。
国際公開公報ＷＯ０３／０８５１８３（最も近接した先行技術）には、公知の弾性特性を有し、ボビンＢから引き出され、編機、ストッキング製造機等の繊維機械、ボビン巻き取り機、その他の繊維機械に供給される弾性糸１１の供給を制御する方法及び装置が開示されている。糸は、固有の弾性を有し、固有の速度で繊維機械に供給される。糸１１の張力を検知する手段１８と、糸の速度を測定し調整する手段３及び１２とが設けられ、両手段とも、制御手段１の単一の本体２と協働し、糸の張力と速度パラメータとを制御し調整する手段２０と接続される。糸の伸びの変動を補償する手段が、繊維機械に供給される糸の直径及び量を一定に維持するために設けられている。
米国特許第４１９９９６５号明細書には、針選択手段を備え、それぞれ連続した少数の編み目に編む必要がある糸の長さを一定にしないようにした編機に糸を供給する方法及び装置が、開示されている。それぞれ連続した少数の編み目用に編機に実際に供給される糸の長さが、測定され、次に、糸の長さの実測値を表わす値又は信号を、所定の編み目長を表わす又は所定の編み目長の関数である所定の長さの値と比較する。編機に供給される糸の張力は、所定の長さの値と測定された長さの値との比較により検出された変動又は差に応じて、連続的に調節される。
【発明の開示】
【発明が解決しようとする課題】
【００１７】
そこで、本発明の目的は、繊維機械に複数本の糸を、取り込まれる糸の長さ（すなわち、ＬＦＡ）が、同じタイプの製品の製造全体に渡って時間が経過しても絶えず一定である、又は繊維機械に供給される全ての糸について等しくなるように、従来の糸供給制御装置により制御できる形で供給する方法及び装置を提供することにある。
【００１８】
本発明のより具体的な目的は、糸の各々が供給される繊維機械、又は各糸を供給する装置に干渉せずに、一定なＬＦＡを達成でき、製品製造用に編み目形成部材を制御するアクチュエータを備えている如何を問わず、新規の又は既設の稼働中の如何なるタイプの繊維機械にも適用し実施できる、上述したタイプの装置及び方法を提供することにある。
【００１９】
本発明のもう一つの目的は、繊維機械に取り込まれる前に糸ガイド等の部材と接触するために生ずる、不可避的な摩擦に影響されることなく、一定の取り込み糸長を確保できる、上述したタイプの装置及び方法を提供することにある。
【００２０】
本発明のもう一つの目的は、布地製造での品質欠陥（例えば、ストリーク）が生じる前に、各糸ガイドの近傍での糸の自由な移動を阻害する残留糸くず又は部品の緩みの発生をなくするとともに、糸の破断を防止することができる、上述したタイプの装置及び方法を提供することにある。
【００２１】
本発明のもう一つの目的は、繊維機械に供給される各糸について等しい又は異なる、一定の取り込み糸長を維持でき、公知の全ての糸供給装置を組み合わせ可能なである、上述したタイプの装置及び方法を提供することにある。
【００２２】
本発明のもう一つの目的は、織機等の連続布地製造繊維機械、編機、及びストッキング、タイツ等の単体製品を製造する機械等に使用できる、上述したタイプの装置及び方法を提供することにある。
【課題を解決するための手段】
【００２３】
これらの目的及び当業者には明らかとなるこの他の目的は、複数本の糸を、一定の供給長で繊維機械（５）に供給する方法であって、各糸（２）は、スプール（１）から繰り出て、繊維機械（５）に導かれる前に、糸（２）の張力を所定値に維持するために設けられる通常の供給装置（４）と協働し、繊維機械（５）への供給を制御する少なくとも１個の制御手段（６）を備える方法において、繊維機械（５）へ供給される糸（２）毎に維持すべき取り込み糸長値を設定し、繊維機械（５）により有効に取り込まれる糸長の実際値を測定し、設定した糸長値と実際値とを比較し、比較の結果が、所定値と実測値との差を示すたびに、供給装置（４）の少なくとも１個に作用することにより、対応する糸（２）の張力値を修正し、この張力修正により、取り込み糸長値が所定値に等しくなるようにすることを特徴とする方法によって達成される。
【００２４】
これらの目的及び当業者には明らかとなるこの他の目的は、また、複数本の糸を、一定の供給長で繊維機械（５）に供給する装置であって、各糸（２）は、スプール（１）から繰り出て、繊維機械（５）に供給する装置（４）と協働し、供給装置（４）は、糸（２）の張力を制御調整して張力を所定値に等しくするために設けられるタイプのものであり、繊維機械（５）への全ての糸の供給を制御する制御手段（６）を備える装置において、前記制御手段（６）は、前記制御手段が、少なくとも１個の前記供給装置（４）により供給される実際の糸量に関するデータを、前記制御手段に記憶した所定の供給糸量値を比較する特定時点を定める同期手段に接続され、前記比較によって、前記制御装置は、前記所定値と前記実測値との差を判定して、少なくとも１個の制御装置（４）を操作することにより、前記糸（２）の全てが、同じ長さ又は同じ量で、前記繊維機械（５）に供給されるように、対応する糸の張力を修正することを特徴とする装置によって達成される。
【発明を実施するための最良の形態】
【００２５】
本発明を、非限定的な実施形態を示した添付図面を参照しながら、詳細に説明する。
【００２６】
図１を参照すると、本発明による装置は、複数個のスプール１を備え、それぞれのスプールからは、糸２が、繰り出て複数個の糸ガイド３を通り、繊維機械５への各糸の供給を制御する公知の装置４に到達する。各供給制御装置４と、織機、編機、ストッキング製造機等の繊維機械５との間には、種々の糸ガイドを１個以上設けてよい。供給制御装置４は、各糸２の張力を制御調整して一定に維持できるものであればいずれのタイプのものでもよい。
【００２７】
各供給制御装置４は、例えば、シリアル回線を通じて、各糸２の供給が、繊維機械５に取り込まれる糸長（ＬＦＡ）が一定な状態で行われていることをチェックできるマイクロプロセッサ装置６、言い換えると、ＬＦＡ値が、繊維機械５での製造運転中一定に保たれていることをチェックするマイクロプロセッサ装置６に接続される。こうした運転は、各糸２に対してそれぞれの供給制御装置４により測定した取り込み糸長（ＬＦＡ）についてのデータを取得し、それぞれの供給制御装置４に基づいて糸の供給張力を必要に応じて調整し、測定ＬＦＡ値が、所望の設定値に等しい状態に維持されるように、ＬＦＡ値を適正化する。
【００２８】
図１において、マイクロプロセッサ装置６は、各供給制御装置４の外部に設けられるように示されているが、供給制御装置の各々は、好ましくは、添付図面において符号６で示すものに相当する手段を備え、各供給制御装置内に設けたこうした手段により、各供給制御装置の動作を制御し、例えば、公知の機械制御手段へのシリアル接続により繊維機械５と個別にやり取りを行うことができるようにする。
【００２９】
図１に示す装置は、本発明による方法を、ストッキング製造機、シームレス製品製造機等の単体製品製造用繊維機械、及び織機、丸編機等の連続布地製造用繊維機械の双方に、実施できるものである。第１のタイプ（単体製品向け）の機械に関する方法の実施は、図２の図面に例示的に示してあり、第２のタイプ（連続布地製品向け）の機械に関する方法の実施は、図３の図面に例示的に示してある。
【００３０】
図２を参照すると、まず、単体製品製造用繊維機械では、個々の製品（例えば、単一のストッキング）を製造する例について、通常、「サイクル」と呼ばれるものを把握できるようにしてあることに留意されたい。したがって、以下、本明細書では、用語「製造サイクル」は、機械の製造段階を指すものとして用い、用語「ゼロサイクル」は、ある「製造サイクル」から次の製造サイクルへの移行段階を指すものとして用いる。
【００３１】
こうした製品を製造中の繊維機械により取り込まれる各糸の長さ（ＬＦＡ）を一定に維持する方法を実施するには、このＬＦＡについて基準値を定める。この値、すなわち設定値は、供給制御装置４による自習サイクル（それ自体公知である）で得ることができる。
この自習サイクルでは、得られる製品の責任者によりなされる、欠陥のない製品を得ることを目的とする分析を受けた後において、各供給制御装置が、製品を製造する繊維機械（５）に供給される糸の長さ、すなわち量の値を測定し、次いで、この値を各供給制御装置４の基準値としてマイクロプロセッサ装置６に記憶させる。
【００３２】
こうする代わりに、この設定値は、過去に得た製造データに基づいて、各供給制御装置４（マイクロプロセッサ装置６が、各供給制御装置内にある場合）に直接記憶させてもよい。これら双方の場合において、各供給制御装置４は、本発明に従った、他の装置の運転におけるデータと等しい又は異なるＬＦＡ値で（内部又は外部にあるマイクロプロセッサ装置による制御を受けて、）運転してもよい。
【００３３】
設定値は、一定の品質を有することが最初に確認された製品を製造した後において、全ての供給制御装置４について計算された平均ＬＦＡ値でもよい。
【００３４】
単体製品の製造中、公知の編機シリンダの回転毎の糸供給量（ＬＦＡ）が、例えば、編み模様、糸の個性、又は収縮等による不連続的な要因で、一定でなくなり、「製造サイクル」全般に渡って供給装置毎に異なり、製造中の時点毎に変化することがある。したがって、本発明による制御方法は、サイクルの終了毎にチェックを行うことによって実施してもよい。こうして、本発明による制御の目的は、各供給制御装置を通じて供給される糸量（ＬＦＡ）と、対応する設定値（自習値でもよい）との間における計算差を、全ての「製造サイクル」中最小化して、糸量を一定化し製造される単体製品を均一化することにある。
【００３５】
図２の図面において実施される方法では、繊維機械５に供給される全ての糸についてＬＦＡ値を一定に保つ制御は、状態１（図２のブロック２０）によるステップで始まる。このステップでは、マイクロプロセッサ装置６は、繊維機械５が、「製造サイクル」段階にあるのか、「ゼロサイクル」段階にあるのかをチェックする。繊維機械の状態は、繊維機械から出力され繊維機械の駆動シャフトに関する信号をモニターすることによって、繊維機械（駆動シャフト）に適切に取り付けたセンサによって、マイクロプロセッサ装置６が、繊維機械の制御手段に組み込まれている場合にはシリアル命令によって、又は他の種々の公知方法で判断される。
【００３６】
状態２（ブロック２１）で、繊維機械が、「製造サイクル」にある間、マイクロプロセッサ装置は、如何なる制御も行わない。しかしながら、マイクロプロセッサ装置６が、「ゼロサイクル」への移行を検出すると、マイクロプロセッサ装置６は、次の状態に移行する。この次段の状態３（ブロック２２）では、マイクロプロセッサ装置６は、例えば、シリアル回線を通じて、個々の供給制御装置４に問合せを行って、「製造サイクル」中の供給糸量（ＬＦＡ）についての情報を収集する。
【００３７】
この問合せを行った後、状態２（ブロック２３）では、マイクロプロセッサ装置は、各供給制御装置４での消費量、すなわち取り込み糸長（ＬＦＡ）を、設定値又は自習設定値と比較して、各供給制御装置４による作用張力に必要な補正を施して、生じ得る誤差範囲を最小化する。実際には、マイクロプロセッサ装置が、糸供給が、設定した供給量よりも大であることを検出すると、対応する供給制御装置４の作用張力を増加し、一方、マイクロプロセッサ装置が、糸供給が、設定した供給量よりも小であることを検出すると、対応する供給制御装置４の作用張力を減少させる。個々の供給装置へ伝えられる張力調整の程度は、一定値（好ましくはプログラム化可能なもの）又は計算誤差の関数であってもよい。
【００３８】
次の状態５（ブロック２４）では、マイクロプロセッサ装置６は、ブロック２３での修正を対応供給制御装置４に伝える前に、新たな作用張力と初期張力との差異が、所定の又はプログラム可能な値よりも大であるか否かを、次の状態に移行する前に、確認する。状態６Ａ（ブロック２５）で、マイクロプロセッサ装置６が、新たな作用張力と初期設定値との差異の程度が、所定の又はプログラム可能な値よりも大であることを確認すると、繊維機械を停止し、又は、繊維機械が、消費量、すなわち供給糸長を一定に維持できなくなる限界領域に入りつつあることを作業員に表示する工程に進む。例えば、張力が、供給制御装置４で設定可能な最小若しくは最大張力、又は糸が耐え得る最大張力に極めて近い場合である。
【００３９】
設定する新たな作用張力の値が、許容可能であることが確認されると、マイクロプロセッサ装置６は、次の製造サイクルで使用すべき新たな作用張力を、供給制御装置毎に設定する（状態６Ｂ、ブロック２６）。マイクロプロセッサ装置は、待機状態に入り、状態７（ブロック２７）で、「ゼロサイクル」段階から「製造サイクル」段階への繊維機械の移行のモニターに専念する。
【００４０】
マイクロプロセッサ装置６が、「ゼロサイクル」段階が、「製造サイクル」段階へ移行したことを検出すると（状態８、ブロック２８）、マイクロプロセッサ装置は、状態１に移行する。
【００４１】
上述の説明は、本発明を実施する方法の一つについてのものであることは明白である。
この点、本発明による方法については、本発明を変更することなく、種々の修正を加えることができる。図２に関して説明した態様に対する、いくつかの修正態様及び／又は変形態様を、以下に説明する。こうした変形態様は、次の通りである。
【００４２】
ａ）上述したように、制御全体を、外部装置ではなく、「製造サイクル」から「製造サイクル」への移行を確認するために繊維機械に適切に結合された、各供給装置により行ってもよい。この場合の供給制御装置４は、マイクロプロセッサ装置６に相当するものを備えてもよい。
【００４３】
ｂ）マイクロプロセッサ装置は、そのＬＦＡ設定値として、固定的基準値（自習値又は設定値）ではなく、独立した基準装置により測定された、又は複数個の若しくは全ての供給制御装置４から出力されたＬＦＡの平均値として得た、ＬＦＡ値を持ってもよい。
【００４４】
ｃ）ＬＦＡ制御全体を、外部装置６ではなく、マスターとして用いる供給制御装置４の一つにより行い、他の全ての供給制御装置４は、マスターに従って運転されるように指示するようにしてもよい。
【００４５】
ｄ）マイクロプロセッサ装置６は、各「製造サイクル」の終了毎に制御を行うように限定されるのではなく、同じ「製造サイクル」中で、制御サイクルを複数回、例えば、繊維機械のシリンダの１回転中の複数時点毎に、又は「ｎ」回転毎に実施してもよい。
【００４６】
ｅ）全ての「製造サイクル」が、必ずしも同じである必要はなく、異なるサイクルの一定の繰り返し（製品１、製品２、製品２・・・・）であってもよい。この場合も、適切な方法によりマイクロプロセッサ装置６を用いて、処理できる。
【００４７】
次に、図３では、連続布地又は製品を製造する繊維機械に、本発明による方法を実施する場合を考慮して説明する。この種の方法では、「製造サイクル」と「ゼロサイクル」との間の差異を把握することはできないが、２個の機械状態（以下、「機械製造中」と「機械が製造中でない」という）を特定できる。繊維機械に、基準信号、すなわち「ゼロサイクル」を設定できないので、制御を一定のペースで行うため、同期信号（ＰＲＸ）が必要となる。この信号は、繊維機械から出力される信号、繊維機械に適切に設けたセンサから出力される信号、又はシリアル回線を通じて受信され工程に同期する命令を介した信号でよい。例えば、ＰＲＸ信号は、繊維機械のシリンダの１回転中の複数回又は１回転の倍数毎に出力される、すなわち、タイミングが取られる。
【００４８】
したがって、本発明による方法の目的は、「機械が製造中」の段階において、各供給装置から供給される糸量（ＬＦＡ）とそれぞれ対応する設定値との間の計算誤差を、図２に関して先に説明した場合において得られたように、最小化することにある。
【００４９】
この実施形態での方法の実施は、状態１（図３のブロック３０）で始まる。この段階では、マイクロプロセッサ装置６は、繊維機械５が、「機械が製造中」の状態又は「機械が製造中でない」状態のいずれの状態にあるかをチェックする。こうした状態は、繊維機械から直接出力される信号によって、適切に設けたセンサによって、繊維機械に組み込まれている場合にはシリアル命令によって、又は、公知の他の方法で、判断できる。
【００５０】
繊維機械５が、「機械が製造中でない」状態にある間は、マイクロプロセッサ装置６は、状態２（ブロック３１）で、繊維機械の状態をチェックする時には、如何なる制御も行わない。マイクロプロセッサ装置は、「機械が製造中」の状態を検出すると、次の状態に移行する。
【００５１】
状態３（ブロック３２)では、マイクロプロセッサ装置６は、同期のＰＲＸ信号又は「機械が製造中でない」状態の認識を示す信号を待機し続ける。こうした信号の受信判断は、繊維機械から直接、適切に設けられたセンサから、又は、繊維機械に組み込まれている場合にはシリアル命令を通じて出力される信号（ハードウェア）をモニターすることにより行う。
【００５２】
繊維機械６が、「機械製造中」の状態にある場合には、マイクロプロセッサ装置６は、如何なる制御も行わないが、繊維機械の状態を継続してモニターする(状態４、ブロック３３)。「機械が製造中でない」状態になると、マイクロプロセッサ装置６は、次の状態、すなわち状態５に移行する（ブロック３４）。後者の状態では、マイクロプロセッサ装置６は、シリアル回線を通じて、各供給制御装置に問合せを行い、２個の同期信号（ＰＲＸ）の間における供給糸量（ＬＦＡ）についての情報を収集する。次の状態６（ブロック３５）では、マイクロプロセッサ装置６は、供給制御装置から送られてくる供給糸長（ＬＦＡ）を設定値と比較し、作用張力に必要な修正を行って、誤差の範囲を縮小又は誤差をなくするようにする。実際には、糸の消費量が、設定値よりも大であることをアルゴリズムにより検出すると、供給制御装置の作用張力を増加し、一方、糸の消費量が、設定値よりも小であることをアルゴリズムにより検出すると、供給制御装置の作用張力を減少する。個別の供給制御装置に出力される、張力調整の程度は、一定値（好ましくはプログラム化可能なもの）又は計算誤差の関数であってもよい。
【００５３】
次の状態７（ブロック３６）では、マイクロプロセッサ装置６は、個別の供給制御装置に修正値を出力する前に、新たな作用張力と設定張力との間の差が、一定の又はプログラム可能な最大許容修正値よりも大であるか否かを、次の状態に移行する前に、確認する。
マイクロプロセッサ装置６が、新たな作用張力における差の程度が、最大許容修正値よりも大であることを検出すると（状態８Ａ、ブロック３７）、繊維機械を停止し、又は、繊維機械が、消費量を一定には維持できなくなる限界領域に入りつつあることを作業員に表示する。例えば、張力が、供給制御装置で設定可能な最小若しくは最大張力、又は糸が耐え得る最大張力に極めて近い場合である。こうした表示は、発光又は音響装置により公知の方法でなされる。
【００５４】
修正張力が、許容できる場合には、マイクロプロセッサ装置は、各供給制御装置４に、所望のＬＦＡ値を一定に維持するのに用いる、新たな張力値を設定する（状態８Ｂ、ブロック３８）。
【００５５】
図２の場合と同様に、上述の説明は、連続製造繊維機械に適用した本発明を実施する方法の一つについてのものであることは明白である。変形態様は、次の通りである。
【００５６】
ａ．マイクロプロセッサ装置は、繊維機械と適切にインターフェースで結合された、各供給制御装置内に設けて、「機械が製造中」から「機械が製造中でない」への移行を確認するとともに、ＰＲＸ同期信号が入力されるようにしてもよい。
【００５７】
ｂ．図２の場合と同様に、マイクロプロセッサ装置は、そのＬＦＡ設定値として、固定的基準値（自習値又は設定値）ではなく、その代わりに、基準装置により測定された、又は複数個の供給制御装置の平均値として得た、ＬＦＡ値を持ってもよい。
【００５８】
ｃ．本発明による方法は、供給制御装置の一つの制御装置をマスターとして用いて実施してもよい。
【００５９】
ｄ．「機械稼動中」状態の間は、繊維機械処理ステージは、製造中の全体に亘って，一定である代わりに、周期的に又は随意に変動して、マイクロプロセッサ装置又は繊維機械５自体が、適切にインターフェースで結合され、ＰＲＸ制御同期毎に、取り込まれる糸長ＬＦＡ設定値を変動するようにしてもよい。
【００６０】
以上のことから、本発明による方法は、次のように要約及び一般化できる。マイクロプロセッサ装置６（複数個の供給制御装置５の外部にある、供給制御装置の一部にある、又は、複数個の制御装置の１個にのみある）は、設定値（欠陥がない製品が得られる、サンプル製造、及び／又は、自習サイクルの後で得られる）に基づいて、繊維機械５へ各供給制御装置４により供給される糸長（すなわち、ＬＦＡ）を確認する。このチェックは、完成品を製造するのに要する時間、又は連続基準信号により定められた時間である、基準期間の終了時に行われる。
【００６１】
マイクロプロセッサ装置６は、基準期間において各供給制御装置４により供給される実際の糸量に対応する現実のＬＦＡ値を、設定値と比較する。差があれば、差があることを検出した、個別の供給制御装置４の張力値を変更して、ＬＦＡ値を予め定めた設定値に戻す。
【００６２】
本発明によれば、明細書の始めに記載した発明の目的が達成される。
【００６３】
本発明の種々の実施形態を説明したが、上述の記載に基づいて、他の実施形態も考え得るものであり、こうした、他の実施形態も、特許請求の範囲による保護範囲内に入るものである。
【図面の簡単な説明】
【００６４】
【図１】本発明による装置をブロックで示す概略図である。
【図２】本発明による方法の第１実施形態をフローチャートである。
【図３】本発明による方法の第２実施形態をフローチャートである。
【図１】
0006381594.tif 000002
【図２】
0006381594.tif 000003
【図３】
0006381594.tif 000004